(57)【要約】【課題】ハンドオーバ指令の再送に掛かる無線リソースの無駄な消費を抑えて、システムのスループット向上を図ること。【解決手段】このハンドオーバ制御方法は、移動局（１）との無線通信中に基地局（１０）が無線リンク障害の有無を検出するステップと、ハンドオーバの実行条件になった場合に基地局（１０）が移動局（１）にハンドオーバ指令を送信するステップと、ハンドオーバ指令の送信後に移動局（１）からフィードバック情報が受信されない場合にハンドオーバ指令を再送するステップと、ハンドオーバ指令の送信後に、無線リンク障害有りとする検出条件を、無線リンク障害が早く検出される方向へ変更するステップと、ハンドオーバ指令の送信後に、無線リンク障害有りと検出された場合に、ハンドオーバ指令の再送を中止させるステップとを含む。【選択図】図１
2013012819.tif 000002
【特許請求の範囲】
【請求項１】
移動局との無線通信中に基地局が当該移動局との間の無線リンク障害の有無を検出するステップと、
ハンドオーバの実行条件になった場合に前記基地局が前記移動局にハンドオーバ指令を送信するステップと、
前記ハンドオーバ指令の送信後に前記移動局からフィードバック情報が受信されない場合に前記ハンドオーバ指令を再送するステップと、
前記ハンドオーバ指令の送信後に、前記無線リンク障害有りとする検出条件を、当該無線リンク障害が早く検出される方向へ変更するステップと、
前記ハンドオーバ指令の送信後に、前記無線リンク障害有りと検出された場合に、前記ハンドオーバ指令の再送を中止させるステップと、
を含むハンドオーバ制御方法。
【請求項２】
ハンドオーバ先の別の基地局あるいは当該基地局の上位局が、前記ハンドオーバ指令を受けた前記移動局と無線通信を開始した際に、ハンドオーバの開始通知をハンドオーバ元の前記基地局へ送信するステップと、
前記ハンドオーバ元の前記基地局が、前記ハンドオーバ指令の送信後に前記開始通知を受信した場合に、前記ハンドオーバ指令の再送を中止するステップと、
をさらに含む請求項１記載のハンドオーバ制御方法。
【請求項３】
移動局との無線通信中に当該移動局との間の無線リンク障害の有無を検出する障害検出部と、
ハンドオーバの実行条件になった場合に前記移動局にハンドオーバ指令を送信する送信制御部と、
前記ハンドオーバ指令の送信後に前記移動局からフィードバック情報が受信されない場合に当該ハンドオーバ指令を再送させる再送制御部と、
前記ハンドオーバ指令の送信後に、前記障害検出部の前記無線リンク障害有りとする検出条件を、当該無線リンク障害が早く検出される方向へ変更する条件変更部と、
前記ハンドオーバ指令の送信後に、前記障害検出部により前記無線リンク障害有りと検出された場合に、前記再送制御部による前記ハンドオーバ指令の再送を中止させる第１の中止制御部と、
を具備する基地局装置。
【請求項４】
前記ハンドオーバ指令の送信後に、ハンドオーバ先の別の基地局あるいは当該基地局の上位局から、前記移動局がハンドオーバ処理を開始したことを表わす開始通知を受信した場合に、前記再送制御部による前記ハンドオーバ指令の再送を中止させる第２の中止制御部、
をさらに具備する請求項３記載の基地局装置。
【請求項５】
別のハンドオーバ処理によりハンドオーバ対象の移動局と無線通信が開始された際に、ハンドオーバ元の別の基地局へ前記開始通知を送信する通知送信部、
をさらに具備する請求項４記載の基地局装置。
【請求項６】
複数の移動局と、これら複数の移動局と無線通信可能な複数の基地局とを具備し、
前記複数の基地局の各々が、請求項３〜５の何れか一項に記載の基地局装置である無線通信システム。
【発明の詳細な説明】
【技術分野】
【０００１】
この発明は、ＬＴＥなどの通信方式におけるハンドオーバ制御方法、基地局装置および無線通信システムに関する。
【背景技術】
【０００２】
現在、移動体通信システムのアクセス方式としてＬＴＥ（Ｌｏｎｇ  Ｔｅｒｍ  Ｅｖｏｌｕｔｉｏｎ）方式の標準化が進められている。ＬＴＥシステムでは、移動局（例えばＵＥ：User Equipment）のハンドオーバ（Ｈ／Ｏ）処理において、次のような規定がなされている。すなわち、ハンドオーバの遅延を小さくするため、基地局（ｅＮＢ）からハンドオーバ指令を受信した移動局は、この指令に対してレイヤ２の肯定応答（ＡＣＫ）を返す必要がない。そして、そのまま、内部リソースの再設定など、ハンドオーバ処理を進めてよい規定となっている（非特許文献１参照）。
【０００３】
ＬＴＥシステムの一般的なハンドオーバ手順を図４と図５に示す。図４に示すように、ステップＳ１〜Ｓ６において、ハンドオーバ実行の判断とハンドオーバの準備処理が行われると、続いて、ハンドオーバ元のソース基地局（ソースｅＮＢ）１０からＵＥ１へハンドオーバ指令が送信される（ステップＳ７）。この指令を受信したＵＥ１は、無線リンクの接続先をソース基地局１０からターゲート基地局３０へ変えるべく、ステップＪ３の内部処理を行って、ターゲート基地局３０との同期化を開始する（ステップＳ９）。同期化に成功した場合、ターゲット基地局１０ａからＵＥ１に上りリンクのリソース割当とタイミングアドバンスの情報が送信される（ステップＳ１０）。ＵＥ１はこれらの情報に基づいて上りリンクに関する設定を切り換えた後、ハンドオーバ完了を通知するＲＲＣ接続・再設定完了の通知をターゲット基地局１０ａへ送信する（ステップＳ１１）。
【０００４】
ハンドオーバ完了の通知がなされたターゲート基地局３０は、続く、ハンドオーバ最終ステップＪ４（図５参照）で、上位局（例えばサービスゲートウェイ：Serving Gateway）５２に対して、ＵＥ１のユーザデータを自局に送信するようにデータ転送経路を切り替えるための処理を実行する（ステップＳ１２〜Ｓ１６）。そして、この切り替えが完了した後、ターゲート基地局３０は、ソース基地局１０へＵＥコンテキストの解放を通知する（ステップＳ１７）。ソース基地局１０は、この通知に基づいて、ＵＥ１に割り当てていたリソースを解放する（ステップＳ１８）。
【０００５】
他方、ソース基地局１０が、ステップＳ７でハンドオーバ指令を送信した後、所定時間経過してもステップＳ１７のＵＥコンテキストの解放通知が受信されない場合には、ハンドオーバ失敗とみなし、自発的にステップＳ１８のリソース解放を実行する。
【先行技術文献】
【非特許文献】
【０００６】
【非特許文献１】3GPP TS36.331 V10.1.0 "Reception of an RRC Connection Reconfiguration including the mobility Control Info by the UE ( handover ) "
【発明の概要】
【発明が解決しようとする課題】
【０００７】
ＬＴＥシステムのハンドオーバ処理では、先に述べたように、ステップＳ７のハンドオーバ指令に対して、ＵＥ１はレイヤ２の肯定応答を返す必要がない。したがって、ハンドオーバ指令を送信したソース基地局１０は、ハンドオーバ指令が正常にＵＥ１に受信されたかすぐに知ることができない場合がある。この場合、レイヤ２の自動再送処理によって、ハンドオーバ指令がＵＥ１へ無駄に再送され、無線の周波数リソースが無駄に消費されてしまうという課題を生じさせる。また、ＬＴＥシステムでは無線の周波数リソースを複数のＵＥ１に共通に振り分けて利用しているため、周波数リソースの消費はシステム全体のスループットの低下をまねく。
【０００８】
本発明は、ハンドオーバ指令の再送に掛かる無線リソースの無駄な消費を抑えて、システムのスループット向上を図ることのできるハンドオーバ制御方法、基地局装置および無線通信システムを提供することを目的とする。
【課題を解決するための手段】
【０００９】
本発明に係るハンドオーバ制御方法は、移動局との無線通信中に基地局が当該移動局との間の無線リンク障害の有無を検出するステップと、ハンドオーバの実行条件になった場合に前記基地局が前記移動局にハンドオーバ指令を送信するステップと、前記ハンドオーバ指令の送信後に前記移動局からフィードバック情報が受信されない場合に前記ハンドオーバ指令を再送するステップと、前記ハンドオーバ指令の送信後に、前記無線リンク障害有りとする検出条件を、当該無線リンク障害が早く検出される方向へ変更するステップと、前記ハンドオーバ指令の送信後に、前記無線リンク障害有りと検出された場合に、前記ハンドオーバ指令の再送を中止させるステップとを含む構成を採る。
【発明の効果】
【００１０】
本発明に従うと、ハンドオーバ指令に対する肯定応答がなくても、速やかにハンドオーバ指令の再送が中止される。したがって、この再送に掛かる無線リソースの消費が速やかに解消されて、システムのスループット向上を図ることができる。
【図面の簡単な説明】
【００１１】
【図１】本発明の第１実施形態の基地局を含んだ無線通信システムの構成を示すブロック図
【図２】本発明の第２実施形態の基地局を含んだ無線通信システムの構成を示すブロック図
【図３】第２実施形態の無線通信システムのハンドオーバ手順を示すシーケンス図
【図４】従来の無線通信システムのハンドオーバ手順を示すシーケンス図
【図５】図４のハンドオーバ最終ステップＪ４の詳細な手順を示すシーケンス図
【発明を実施するための形態】
【００１２】
以下、本発明の実施の形態を図面に基づいて説明する。
【００１３】
［第１実施形態］
図１は、本発明の第１実施形態の基地局が含まれる無線通信システムの構成を示すブロック図である。
【００１４】
この実施形態の無線通信システムは、複数の移動局（例えばＵＥ１）と、複数の基地局１０と、これら複数の基地局１０とネットワーク接続された複数の上位局（５１，５２）を備えている。上位局には、移動局のユーザ認証およびネットワーク接続に関する管理等を行うＭＭＥ（Mobility Management Entity）５１と、ユーザデータのルーティングを行うサービスゲートウェイ（Ｓ−ＧＷ，図３参照）５２が含まれる。基地局１０については、ハンドオーバ元の基地局１０をソース基地局、ハンドオーバ先の基地局１０をターゲット基地局と呼ぶ。
【００１５】
基地局１０は、上位局（ＭＭＥ５１、サービスゲートウェイ５２など）と接続されてデータ送受信を行うネットワーク部１１と、ＵＥ１に対して無線信号の送受信を行う無線部１６と、ＵＥ１の信号を受信してレイヤ２の上りリンクの信号処理を行う受信部１２と、レイヤ２の下りリンクの信号処理を行ってＵＥ１へ信号を送信する送信部１３と、送信データがＵＥ１に正常に受信されていないと判断される場合に送信データの再送を行わせる再送制御部１４と、ＵＥ１との間で無線リンク障害（Radio Link Failure）が発生したことを検出するＲＬＦ検出部（障害検出部）１５等を備えている。送信部１３は、ハンドオーバ指令を送信する送信制御部としても機能する。
【００１６】
再送制御部１４は、送信部１３のデータ送信に対して肯定応答”ＡＣＫ”のフィードバック情報がＵＥ１から受信されたか監視する。そして、否定応答”ＮＡＣＫ”が受信された場合、または肯定応答”ＡＣＫ”の受信がない場合に、送信部１３へ再送制御情報を出力して、ＭＡＣレイヤ（メディアアクセス制御層）またはＲＬＣレイヤ（無線リンク制御層）のデータ再送を行わせる。このデータ再送の制御は、送信部１３からハンドオーバ指令が送信される際にも、同様に行われる。
【００１７】
受信部１２は、上りリンクの信号処理と並行して、ＵＥ１から受信した無線信号の同期のズレの検出を行い、この同期情報をＲＬＦ検出部１５へ出力する。また、送信データに対する応答が受信された場合に、この応答内容を示すフィードバック情報を再送制御部１４へ出力する。
【００１８】
送信部１３は、下りリンクの信号処理と並行して、再送制御部１４から再送制御情報が入力された場合に、対象データの再送を行う。また、データ再送を行う際には、再送回数を表わす信号２２をＲＬＦ検出部１５へ出力する。ハンドオーバ指令の送信時には、この信号２２によりハンドオーバ指令の再送回数が示される。また、この送信部１３は、再送制御部１４から再送制御情報が入力されている場合でも、ＲＬＦ検出部１５から再送を停止させる送信制御情報２１が入力された場合には、対象データの再送を停止させるように構成されている（第１の中止制御部）。
【００１９】
ＲＬＦ検出部１５は、受信部１２から供給される上述の同期情報、送信部１３から供給されるデータ再送回数を示す信号２２、受信部１２と送信部１３で使用される各種の制御タイマ（ＲＲＣタイマ：無線リソース制御タイマ等）の監視を行う。そして、同期情報に示される同期のズレが所定の閾値を越えた場合、データ再送の回数が上限値を超えた場合、制御タイマが満了となった場合に、無線リンク障害有りと検出する。
【００２０】
無線リンク障害有りの検出がなされると、ＲＬＦ検出部１５から受信部１２や送信部１３へ障害情報が送られて、受信部１２と送信部１３とによりＵＥ１との無線リンクを修復するための処理、或いは、無線リンクを解放する処理等が実行される。また、ＲＬＦ検出部１５は、無線リンク障害有りと検出した場合に、障害有りとしたＵＥ１に対するデータ再送を停止させる送信制御情報２１を送信部１３へ出力して、このＵＥ１に対するデータ再送を停止させるようになっている。
【００２１】
上記の同期のズレに対する閾値、再送回数の上限値（ＭＡＣレイヤとＲＬＣレイヤにおける再送回数の上限値）は、通常の無線リンク時においては通常の値に設定される。例えば、次のような３ＧＰＰ＿ＴＳ３６．３３１の規定に従った設定が行われる。
同期ズレに関する閾値・・・同期はずれ”Out-of-sync”を示す閾値“N310”
ＭＡＣレイヤの再送回数上限値・・・上限値“maxHARDQ-Tx”
ＲＬＣレイヤの再送回数上限値・・・上限値“maxRetxThreshold”
【００２２】
また、上記の同期のズレに対する閾値、再送回数の上限値は、ＵＥ１へハンドオーバ指令が送信されてからＵＥ１のリソース開放が行われるまでの期間、無線リンク障害の発生が速やかに検出される方向に設定変更されるようになっている。すなわち、同期のズレに対する閾値は小さく、再送回数の上限値は少なくされる。これらの設定変更はＲＬＦ検出部１５の制御部、あるいは、基地局１０の別の制御部によって実行される。これらの制御部が条件変更部として機能する。
【００２３】
なお、従来の無線通信システムにおいては、ハンドオーバ処理の開始から、ＵＥ１がハンドオーバ先の基地局に対してランダムアクセス手続き（Random Access Procedure）を進めて同期化が成功するまでの時間が計数される。そして、この時間が、所定のタイムアップ時間“T304”（３ＧＰＰ＿ＴＳ３６．３３１に規定）を超えた場合に、ハンドオーバ処理が失敗したと判断し、このＵＥ１との無線リンクを解放する処理等が行われるようになっている。上記の設定変更後の閾値と上限値は、無線リンク障害の発生の検出が、上記のタイムアップ時間“T304”よりも、短い時間で行われるような値にされる。
【００２４】
［動作説明］
この実施形態の基地局１０においては、無線接続されているＵＥ１がハンドオーバの実行条件を満たした場合に、送信部１３からＵＥ１にハンドオーバ指令が送信される。
【００２５】
ハンドオーバ指令が送信されると、この送信に基づいてＲＬＦ検出部１５の上記閾値および上限値が設定変更されて、対象のＵＥ１との間の無線リンク障害が通常よりも速やかに検出されやすい状態になる。
【００２６】
ここで、ＵＥ１がハンドオーバ指令を受信した後に、肯定応答“ＡＣＫ”の送信を省略したとする。すると、基地局１０の再送制御部１４の制御によって送信部１３からハンドオーバ指令の再送が継続的に行われる。
【００２７】
ここで、早い段階で、ＵＥ１から受信される無線信号の同期のズレが設定変更された閾値を超えるか、あるいは、ハンドオーバ指令のデータ再送回数が設定変更された上限値を越えて、ＲＬＦ検出部１５で無線リンク障害と検出される。
【００２８】
無線リンク障害の検出がなされると、ＲＬＦ検出部１５から送信部１３へデータ再送を停止させる送信制御情報２１が送られて、ハンドオーバ指令のデータ再送が停止される。
【００２９】
以上のように、この実施形態の基地局１０および無線通信システムによれば、ハンドオーバ指令に対する肯定応答の送信がＵＥ１において省略された場合でも、速やかに基地局１０からのハンドオーバ指令の再送が中止される。したがって、この再送に掛かる無線リソースの消費が速やかに解消されて、システムのスループット向上が図られる。
【００３０】
［第２実施形態］
図２は、本発明の第２実施形態の基地局１０，１０ａが含まれる無線通信システムの構成を示すブロック図である。
【００３１】
第２実施形態は、第１実施形態の構成に加えて、ハンドオーバ対象のＵＥ１がターゲット基地局１０ａに対して無線接続を開始した際に、ターゲット基地局１０ａからソース基地局１０へハンドオーバ開始の通知を送信する構成を追加したものである。そして、ソース基地局１０から上記ＵＥ１に対するハンドオーバ指令のデータ再送が継続されている場合でも、上記のハンドオーバ開始の通知により、このデータ再送を中止するようにしたものである。
【００３２】
上記作用を実現するため、この実施形態の基地局１０ａには、さらに、通知送信部としてのハンドオーバ開始判断部１８が設けられている。図２では省略しているが、ハンドオーバ開始判断部１８は、ソース基地局１０を含めてシステム上の全ての基地局に同様に設けられている。また、再送制御部１４およびＲＬＦ検出部１５の構成も、ターゲット基地局１０ａを含めてシステム上の全ての基地局に同様に設けられている。
【００３３】
ハンドオーバ開始判断部１８は、新たにＵＥ１を無線接続するハンドオーバ処理において、他の基地局１０からハンドオーバ要求を受信して許可応答を行った際（図３のステップＳ６参照）、あるいは、その後、他の基地局１０からハンドオーバ対象のＵＥ１に送信するパケットデータが転送された際（図３のステップＳ８を参照）に、ハンドオーバ処理が開始されたことを記憶する。これらハンドオーバ要求の受信、あるいは、パケットデータの転送は、これらを表わすハンドオーバ送信情報が送信部１３から送られてくることでハンドオーバ開始判断部１８において認識される。
【００３４】
また、ハンドオーバ開始判断部１８には、受信部１２がハンドオーバ対象のＵＥ１から同期化するためのデータ（例えばランダムアクセスチャンネルのプリアンプル）を受信した場合に、これを通知するメッセージ受信情報が受信部１２から送られる。
【００３５】
あるいは、このメッセージ受信情報の代わりに、次のような構成を適用してもよい。すなわち、対象のＵＥ１からハンドオーバ完了メッセージ（例えば、ＲＲＣ接続・再設定の完了の通知）が受信部１２に受信された場合に、これを知らせるメッセージ受信情報が受信部１２からハンドオーバ開始判断部１８へ送られるように構成してもよい。
【００３６】
ハンドオーバ開始判断部１８は、ハンドオーバ処理の開始を記憶している状態で、上記のメッセージ受信情報が送られてきた場合に、対象のＵＥ１がハンドオーバ手続きを開始したと判断する。そして、この判断に基づいて、ネットワークを介してソース基地局１０へハンドオーバ開始の情報を送信するように構成されている。
【００３７】
また、第２実施形態におけるソース基地局１０の再送制御部１４は、ＵＥ１へハンドオーバ指令のデータ再送が継続されている状況で、上記のハンドオーバ開始の情報を受信した場合に、このハンドオーバ指令のデータ再送を停止するようになっている（第２の中止制御部）。
【００３８】
［動作説明］
図３には、第２実施形態の無線通信システムにおけるハンドオーバ手順を表わしたシーケンス図を示す。
【００３９】
基地局１０，１０ａおよびその上位局（ＭＭＥ５１およびサービスゲートウェイ５２）は各ＵＥ１のエリア規制に関する処理を行い（ステップＳ０）、ソース基地局１０はエリア規制情報に従って各ＵＥ１に近隣セルの信号測定を行わせる（ステップＳ１）。
【００４０】
信号測定の結果、ＵＥ１からハンドオーバの実行を必要とする測定レポートがソース基地局１０へ送信されると（ステップＳ２）、この測定レポートに基づいてソース基地局１０によりハンドオーバ先のターゲット基地局１０ａが決定される（ステップＳ３）。続いて、ソース基地局１０からターゲット基地局１０ａへハンドオーバ要求が行われ（ステップＳ４）、ターゲット基地局１０ａの内部処理によりハンドオーバ要求が許容されると（ステップＳ５）、肯定応答がなされる（ステップＳ６）。
【００４１】
この肯定応答に伴って、図２に示すように、ターゲット基地局１０ａの送信部１３からハンドオーバ開始判断部１８へハンドオーバ送信情報が送られる。これにより、ハンドオーバ開始判断部１８は、対象のＵＥ１に対してハンドオーバ処理が開始されたことを記憶する。
【００４２】
肯定応答がなされると、ソース基地局１０はＵＥ１に対してハンドオーバ指令を送信する（ステップＳ７）。このハンドオーバ指令は、具体的には、モビリティ制御情報を含むＲＲＣ接続再設定メッセージ（Radio Resource Connection Reconfiguration Message）である。
【００４３】
ハンドオーバ指令を受信すると、ＵＥ１は、ソース基地局１０との無線リンクを切断してターゲット基地局１０ａと同期化する処理を開始する（ステップＪ３）。ここで、ＵＥ１がハンドオーバ指令に対する応答を省略する場合が生じえる。応答が省略された場合、ソース基地局１０では、ハンドオーバ指令のデータ再送が継続的に行われる。
【００４４】
また、ハンドオーバ指令を送信したら、ソース基地局１０とターゲット基地局１０ａとの間で、ＵＥ１に送信するために蓄積されていたパケットデータを転送する処理が行われる（ステップＪ１，Ｊ２）。このデータ転送に際して、パケットのシーケンス番号（ＳＮ：Sequence Number）を表わすＳＮステータスの転送も並行して行われる（ステップＳ８）。
【００４５】
ＵＥ１とターゲット基地局１０ａとを同期化する処理では、ＵＥ１は、先ず、ターゲット基地局１０ａへ同期化を行うためのデータ（ランダムアクセスチャンネルのプリアンプル）の送信処理を行う（ステップＳ９）。その結果、同期化が成功したら、ターゲット基地局１０ａから上りリンクのリソース割当情報とタイミングアドバンス情報とがＵＥ１に送信される（ステップＳ１０）。ＵＥ１は、これらの情報に基づき内部設定を行ってＲＲＣ接続と再設定完了の通知をターゲット基地局１０ａへ送信する（ステップＳ１１）。
【００４６】
上記一連の同期化の処理の途中、ターゲット基地局１０ａにてステップＳ９のデータ受信が行われると、図２に示したように、このデータ受信を示すメッセージ受信情報が受信部１２からハンドオーバ開始判断部１８へ送られる。ハンドオーバ開始判断部１８は、この情報に基づいてＵＥ１でハンドオーバ処理が開始されたと判断し、ハンドオーバ開始通知をネットワークを介してソース基地局１０へ送信する（ステップＪ５）。
【００４７】
あるいは、ターゲット基地局１０ａでステップＳ１１のデータ受信が行われた際に、このデータ受信を示すメッセージ受信情報が受信部１２からハンドオーバ開始判断部１８へ送られる。そして、ハンドオーバ開始判断部１８が、この情報に基づいて、ハンドオーバ開始通知をネットワークを介してソース基地局１０へ送信する（ステップＪ６）。
【００４８】
ステップＪ５，Ｊ６のハンドオーバ開始通知の送信時、ソース基地局１０でステップＳ７のハンドオーバ指令のデータ再送が継続されていた場合、この通知が再送制御部１４へ送られて、このデータ再送が中止される。
【００４９】
ＵＥ１とターゲット基地局１０ａとが無線接続された後には、図５に示したように、サービスゲートウェイ５２からＵＥ１へユーザデータの転送経路を切り替える処理（ステップＳ１２〜Ｓ１６）が行われる。その後、ソース基地局１０で対象のＵＥ１のＵＥコンテキストの開放とリソース開放とが行われて（ステップＳ１７，Ｓ１８）、ハンドオーバ処理が完了となる。
【００５０】
以上のように、この実施形態の基地局１０，１０ａおよび無線通信システムによれば、ソース基地局１０からＵＥ１にハンドオーバ指令のデータ再送が継続される状況になっても、ステップＪ５のハンドオーバ開始の通知に基づいて、このデータ再送が停止される。したがって、ハンドオーバ指令のデータ再送に掛かる無線リソースの消費が速やかに解消されて、システムのスループット向上を図ることができる。
【００５１】
あるいは、ステップＪ５のハンドオーバ開始通知の代わりに、ＵＥ１の完了通知に基づくステップＪ６のハンドオーバ開始通知に基づいて、データ再送を停止するように構成されても、同様の作用が得られる。ステップＪ５の通知に基づく制御により、より速やかにデータ再送を停止させることができる一方、ステップＪ６の通知に基づく制御によって、ＵＥ１がハンドオーバを実行したことをより正確に判断することができる。
【００５２】
なお、上記実施形態では、ハンドオーバ開始通知がターゲット基地局１０ａから送信される構成としたが、ターゲット基地局１０ａの上位局からソース基地局１０へ同様の通知を送信する構成としても良い。また、図３のステップＪ５のハンドオーバ開始通知の送信と、ステップＳ１０の上りリンクのリソース割当情報の送信の順番が逆になってもよい。
【産業上の利用可能性】
【００５３】
本発明は、ＬＴＥ方式の無線通信システム、基地局、および、そのハンドオーバ制御方法に適用できる。
【符号の説明】
【００５４】
１  ＵＥ
１０，１０ａ  基地局
１２  受信部
１３  送信部
１４  再送制御部
１５  ＲＬＦ検出部
１８  ハンドオーバ開始判断部
５１  ＭＭＥ
５２  サービスゲートウェイ
Ｓ７  ハンドオーバ指令の送信ステップ
Ｓ９  同期化の送信ステップ
Ｊ５  ハンドオーバ開始通知の送信ステップ
Ｓ１１  ＲＲＣ接続・再設定完了通知の送信ステップ
Ｊ６  ハンドオーバ開始通知の送信ステップ
【図１】
2013012819.tif 000003
【図２】
2013012819.tif 000004
【図３】
2013012819.tif 000005
【図４】
2013012819.tif 000006
【図５】
2013012819.tif 000007